(57)【特許請求の範囲】
【請求項１】
ＢＩＭを用いた建物設計用の３次元ＣＡＤと、汎用の表計算ソフトと、前記３次元ＣＡＤと前記表計算ソフトとを連携する連携ソフトとがインストールされたコンピュータを備え、
前記表計算ソフトは、設計データのデフォルト値を表形式で記憶するデータベースシートと、建物形状を決定する規模設定シートとを有し、
前記規模設定シートは、建物のＸ方向スパン数、Ｙ方向スパン数、及び階数を含む規模データを入力する入力領域を有し、
前記表計算ソフトは、前記規模データを基に、各階に共通する柱位置と壁位置を示すキープランと、建物の階層ごとの居室の配列を示す積み木データとを表形式で表示し、
前記キープランは、柱位置を示す第１柱符号と、梁位置を示す第１梁符号と、前記第１柱符号及び前記第１梁符号で囲まれ柱と梁のない空間を示す第１空欄と、柱間のスパンを意味する数値とからなり、
前記第１柱符号、前記第１梁符号及び前記数値は、表形式のスプレッドシートのセルにそれぞれ独立して表示され、
前記第１空欄は、スプレッドシートの横方向に前記Ｘ方向スパン数の数が設けられ、かつスプレッドシートの縦方向に前記Ｙ方向スパン数の数が設けられ、
前記積み木データは、柱位置を示す第２柱符号と、梁位置を示す第２梁符号と、柱と梁の交差部を示す交差部符号と、前記第２柱符号及び前記第２梁符号で囲まれ居室空間を示す第２空欄とからなり、
前記第２柱符号、前記第２梁符号及び前記交差部符号は、表形式のスプレッドシートのセルにそれぞれ独立して表示され、
前記第２空欄は、スプレッドシートの横方向に前記Ｘ方向スパン数の数が設けられ、かつスプレッドシートの縦方向に階数分の数が設けられ、
前記キープラン、前記積み木データ及び前記設計データは、表計算ソフト上で修正可能であり、
前記表計算ソフトは、さらに、柱データ、梁データ、壁データ、内スラブデータ、部屋データ、建具データ、拡張柱データ、拡張壁データ、又は一般データと表示されたセルを有するデータ確認シートを表示し、
前記データ確認シートの各セルにより、それぞれの前記デフォルト値が表形式で表示され、表示された前記デフォルト値は表計算ソフト上で修正可能であり、
前記連携ソフトは、前記規模データ、前記キープラン、及び前記積み木データから生成された設計データを前記３次元ＣＡＤのＢＩＭデータに変換する、ことを特徴とする建物企画設計システム。
【請求項２】
前記表計算ソフトは、前記設計データを修正するためのデータ修正シートを有し、
前記データ修正シートは、前記キープラン及び前記積み木データと、前記設計データのうち、キャンティ設定、通り芯毎部品、出部屋設定、又はデフォルトデータのデフォルト値を表形式で表示し、
表示された前記デフォルト値は前記表計算ソフト上で修正可能である、ことを特徴とする請求項１に記載の建物企画設計システム。
【請求項３】
前記表計算ソフトは、前記設計データを確認するためのデータ確認シートを有し、
前記データ確認シートは、前記設計データのうち、柱データ、梁データ、壁データ、内スラブデータ、部屋データ、建具データ、拡張柱データ、拡張壁データ、又は一般データのデフォルト値を表形式で表示し、
表示された前記デフォルト値は前記表計算ソフト上で修正可能である、ことを特徴とする請求項１に記載の建物企画設計システム。
【請求項４】
前記設計データのうち、スラブ、耐震壁、又は雑壁の厚さのデフォルト値は、前記規模設定シートに基づくスパン寸法に基づき、予め設定された計算式により算出される、ことを特徴とする請求項１に記載の建物企画設計システム。
【請求項５】
前記設計データのうち、バルコニー、共用廊下、玄関、又は窓の配置のデフォルト値は、前記規模設定シートに基づくスパン寸法に基づき、予め設定されたロジックにより設定される、ことを特徴とする請求項１に記載の建物企画設計システム。
【請求項６】
ＢＩＭを用いた建物設計用の３次元ＣＡＤと、汎用の表計算ソフトと、前記３次元ＣＡＤと前記表計算ソフトとを連携する連携ソフトとがインストールされたコンピュータを準備し、
建物形状を決定する第１ステップにおいて、
（Ａ）前記表計算ソフトの規模設定シートの入力領域に、建物のＸ方向スパン数、Ｙ方向スパン数、及び階数を含む規模データを入力し、
（Ｂ）前記表計算ソフトにより、前記規模データを基に、各階に共通する柱位置と壁位置を示すキープランと、建物の階層ごとの居室の配列を示す積み木データとを表形式で表示し、
前記キープランは、柱位置を示す第１柱符号と、梁位置を示す第１梁符号と、前記第１柱符号及び前記第１梁符号で囲まれ柱と梁のない空間を示す第１空欄と、柱間のスパンを意味する数値とからなり、
前記第１柱符号、前記第１梁符号及び前記数値は、表形式のスプレッドシートのセルにそれぞれ独立して表示され、
前記第１空欄は、スプレッドシートの横方向に前記Ｘ方向スパン数の数が設けられ、かつスプレッドシートの縦方向に前記Ｙ方向スパン数の数が設けられ、
前記積み木データは、柱位置を示す第２柱符号と、梁位置を示す第２梁符号と、柱と梁の交差部を示す交差部符号と、前記第２柱符号及び前記第２梁符号で囲まれ居室空間を示す第２空欄とからなり、
前記第２柱符号、前記第２梁符号及び前記交差部符号は、表形式のスプレッドシートのセルにそれぞれ独立して表示され、
前記第２空欄は、スプレッドシートの横方向に前記Ｘ方向スパン数の数が設けられ、かつスプレッドシートの縦方向に階数分の数が設けられ、
前記キープラン、前記積み木データ及び設計データは、表計算ソフト上で修正可能であり、
建物設計に必要なデータを生成する第２ステップにおいて、
前記表計算ソフトのデータ確認シートに、柱データ、梁データ、壁データ、内スラブデータ、部屋データ、建具データ、拡張柱データ、拡張壁データ、又は一般データと表示されたセルを表示し、
前記データ確認シートの各セルにより、それぞれの前記設計データのデフォルト値が表形式で表示され、表示された前記デフォルト値は表計算ソフト上で修正可能であり、
前記連携ソフトにより、前記規模データ、前記キープラン、及び前記積み木データから生成された設計データを前記３次元ＣＡＤのＢＩＭデータに変換する、ことを特徴とする建物企画設計方法。
【発明の詳細な説明】
【技術分野】
【０００１】
本発明は、３次元汎用ＣＡＤを用いたＢＩＭの建物企画設計システムと方法に関する。
【背景技術】
【０００２】
ＢＩＭ（ビルディングインフォメーションモデル）とは、建物データを生成および管理するための設計手法である。典型的には、３次元ＣＡＤを使用して建物設計の過程で３次元ＣＡＤのデータ（以下、ＢＩＭデータ）を作成する。
【０００３】
ＢＩＭデータには、建物形状、空間関係、建物部材の数量や特性、建物要素のプロパティ（例えばメーカー情報など）が含まれる。従って、ＢＩＭデータを用いて、数量および共有された材質情報を簡単に抽出することができる。
【０００４】
ＢＩＭを用いた建物設計用の３次元ＣＡＤとして、例えばＲｅｖｉｔ（登録商標）が知られている。Ｒｅｖｉｔ（登録商標）は、米国のオートデスク（登録商標）社が開発した、建物設計用のＣＡＤソフトウェアである。
【０００５】
このような、建物設計用の３次元ＣＡＤは、ＢＩＭ用に開発されており、建築設計者はコーディネートされた一貫性のあるモデルベースのアプローチにより、アイデアをコンセプトから施工に発展させることができる。
【０００６】
上述した汎用の３次元ＣＡＤを用いて、建築設計を効率的に行う手段として、例えば特許文献１、２が開示されている。
【０００７】
特許文献１の「３次元データの作成システム、３次元データの作成方法、及びプログラム」は、汎用ＣＡＤと表計算ソフトを組み合わせて使用し、３次元データの入力の簡素化とシステム費用を低減することを目的とする。
【０００８】
特許文献１では、データ入力部により、汎用のＣＡＤソフトを使用して、建築物の各部材ごとにレイヤーを設定する。そして、レイヤーごとに部材をトレースまたは入力する。また、データ入力部により、表計算ソフトを使用して、予め定めたコマンド及びパラメータにより、各レイヤー内にトレースされた部材の属性情報を表形式で定義する。そして、処理部により、レイヤー内の部材の図形情報と属性情報とを関連づけ、３次元表示用のデータを生成する。
【０００９】
特許文献２の「建物管理システム」は、建物の現状を容易かつ精度よく把握し、見積もりを容易に行うことを目的とする。
【００１０】
特許文献２では、建物の画像データと建物を構成する各部材の属性情報とを建物管理情報として記憶部に格納しておき、要求に応じて記憶部に記憶された建物管理情報を提供する。システムサーバは、建物に対する、修繕、更新などを含む改修工事を行った施工業者からの費用の情報に基づき、工事対象部材および工事内容を含む費用の内訳情報を取得し、改修工事の発注元に費用請求の情報を提供する。
【先行技術文献】
【特許文献】
【００１１】
【特許文献１】特開２００５−７８２０７号公報
【特許文献２】特開２０１４−１７４５９０号公報
【発明の概要】
【発明が解決しようとする課題】
【００１２】
上述したように、３次元汎用ＣＡＤを用いた従来の手段では、二次元図面を別途作成し、この二次元図面から３次元ＣＡＤのデータを作成していた。しかし、二次元図面からＢＩＭデータを作成するには、各部材の属性情報と数量を二次元図面のトレースまたは手入力する必要があり、時間と手間がかかっていた。
また、建物デザインの確認は、従来、立面図、パース図、模型等によって行っていた。しかし、立面図、パース図、模型等の作成には時間と手間がかかる。また、これらの手段では、見る角度や質感を含めた建物デザインの確認が難しかった。
【００１３】
本発明は、これらの問題点を解決するために創案されたものである。すなわち本発明の目的は、二次元図面を作成することなく、容易にＢＩＭデータを作成することができ、かつ見る角度や質感を含めた建物デザインを確認できる建物企画設計システムと方法を提供することにある。
【課題を解決するための手段】
【００１４】
本発明によれば、ＢＩＭを用いた建物設計用の３次元ＣＡＤと、汎用の表計算ソフトと、前記３次元ＣＡＤと前記表計算ソフトとを連携する連携ソフトとがインストールされたコンピュータを備え、
前記表計算ソフトは、設計データのデフォルト値を表形式で記憶するデータベースシートと、建物形状を決定する規模設定シートとを有し、
前記規模設定シートは、建物のＸ方向スパン数、Ｙ方向スパン数、及び階数を含む規模データを入力する入力領域を有し、
前記表計算ソフトは、前記規模データを基に、各階に共通する柱位置と壁位置を示すキープランと、建物の階層ごとの居室の配列を示す積み木データとを表形式で表示し、
前記キープランは、柱位置を示す第１柱符号と、梁位置を示す第１梁符号と、前記第１柱符号及び前記第１梁符号で囲まれ柱と梁のない空間を示す第１空欄と、柱間のスパンを意味する数値とからなり、
前記第１柱符号、前記第１梁符号及び前記数値は、表形式のスプレッドシートのセルにそれぞれ独立して表示され、
前記第１空欄は、スプレッドシートの横方向に前記Ｘ方向スパン数の数が設けられ、かつスプレッドシートの縦方向に前記Ｙ方向スパン数の数が設けられ、
前記積み木データは、柱位置を示す第２柱符号と、梁位置を示す第２梁符号と、柱と梁の交差部を示す交差部符号と、前記第２柱符号及び前記第２梁符号で囲まれ居室空間を示す第２空欄とからなり、
前記第２柱符号、前記第２梁符号及び前記交差部符号は、表形式のスプレッドシートのセルにそれぞれ独立して表示され、
前記第２空欄は、スプレッドシートの横方向に前記Ｘ方向スパン数の数が設けられ、かつスプレッドシートの縦方向に階数分の数が設けられ、
前記キープラン、前記積み木データ及び前記設計データは、表計算ソフト上で修正可能であり、
前記表計算ソフトは、さらに、柱データ、梁データ、壁データ、内スラブデータ、部屋データ、建具データ、拡張柱データ、拡張壁データ、又は一般データと表示されたセルを有するデータ確認シートを表示し、
前記データ確認シートの各セルにより、それぞれの前記デフォルト値が表形式で表示され、表示された前記デフォルト値は表計算ソフト上で修正可能であり、
前記連携ソフトは、前記規模データ、前記キープラン、及び前記積み木データから生成された設計データを前記３次元ＣＡＤのＢＩＭデータに変換する、ことを特徴とする建物企画設計システムが提供される。
【００１５】
前記表計算ソフトは、前記設計データを修正するためのデータ修正シートを有し、
前記データ修正シートは、前記キープラン及び前記積み木データと、前記設計データのうち、キャンティ設定、通り芯毎部品、出部屋設定、又はデフォルトデータのデフォルト値を表形式で表示し、
表示された前記デフォルト値は前記表計算ソフト上で修正可能である。
【００１６】
前記表計算ソフトは、前記設計データを確認するためのデータ確認シートを有し、
前記データ確認シートは、前記設計データのうち、柱データ、梁データ、壁データ、内スラブデータ、部屋データ、建具データ、拡張柱データ、拡張壁データ、又は一般データのデフォルト値を表形式で表示し、
表示された前記デフォルト値は前記表計算ソフト上で修正可能である。
【００１７】
前記設計データのうち、スラブ、耐震壁、又は雑壁の厚さのデフォルト値は、前記規模設定シートに基づくスパン寸法に基づき、予め設定された計算式により算出される。
【００１８】
前記設計データのうち、バルコニー、共用廊下、玄関、又は窓の配置のデフォルト値は、前記規模設定シートに基づくスパン寸法に基づき、予め設定されたロジックにより設定される。
【００１９】
また本発明によれば、ＢＩＭを用いた建物設計用の３次元ＣＡＤと、汎用の表計算ソフトと、前記３次元ＣＡＤと前記表計算ソフトとを連携する連携ソフトとがインストールされたコンピュータを準備し、
建物形状を決定する第１ステップにおいて、
（Ａ）前記表計算ソフトの規模設定シートの入力領域に、建物のＸ方向スパン数、Ｙ方向スパン数、及び階数を含む規模データを入力し、
（Ｂ）前記表計算ソフトにより、前記規模データを基に、各階に共通する柱位置と壁位置を示すキープランと、建物の階層ごとの居室の配列を示す積み木データとを表形式で表示し、
前記キープランは、柱位置を示す第１柱符号と、梁位置を示す第１梁符号と、前記第１柱符号及び前記第１梁符号で囲まれ柱と梁のない空間を示す第１空欄と、柱間のスパンを意味する数値とからなり、
前記第１柱符号、前記第１梁符号及び前記数値は、表形式のスプレッドシートのセルにそれぞれ独立して表示され、
前記第１空欄は、スプレッドシートの横方向に前記Ｘ方向スパン数の数が設けられ、かつスプレッドシートの縦方向に前記Ｙ方向スパン数の数が設けられ、
前記積み木データは、柱位置を示す第２柱符号と、梁位置を示す第２梁符号と、柱と梁の交差部を示す交差部符号と、前記第２柱符号及び前記第２梁符号で囲まれ居室空間を示す第２空欄とからなり、
前記第２柱符号、前記第２梁符号及び前記交差部符号は、表形式のスプレッドシートのセルにそれぞれ独立して表示され、
前記第２空欄は、スプレッドシートの横方向に前記Ｘ方向スパン数の数が設けられ、かつスプレッドシートの縦方向に階数分の数が設けられ、
前記キープラン、前記積み木データ及び設計データは、表計算ソフト上で修正可能であり、
建物設計に必要なデータを生成する第２ステップにおいて、
前記表計算ソフトのデータ確認シートに、柱データ、梁データ、壁データ、内スラブデータ、部屋データ、建具データ、拡張柱データ、拡張壁データ、又は一般データと表示されたセルを表示し、
前記データ確認シートの各セルにより、それぞれの前記設計データのデフォルト値が表形式で表示され、表示された前記デフォルト値は表計算ソフト上で修正可能であり、
前記連携ソフトにより、前記規模データ、前記キープラン、及び前記積み木データから生成された設計データを前記３次元ＣＡＤのＢＩＭデータに変換する、ことを特徴とする建物企画設計方法が提供される。
【発明の効果】
【００２０】
上記本発明の装置と方法によれば、表計算ソフトの規模設定シートにおいて、建物のＸ方向スパン数、Ｙ方向スパン数、及び階数を含む規模データを入力する。また、表計算ソフトは、規模データを基に、各階に共通する柱位置と壁位置を示すキープランと、建物の階層ごとの居室の配列を示す積み木データとを表形式で表示する。
従って、二次元図面を作成することなく、表計算ソフトのみを用いて、規模データ、キープラン、及び積み木データを作成することができる。
【００２１】
また、表計算ソフトは、設計データのデフォルト値を表形式で記憶するデータベースシートを有しており、キープラン、積み木データ及び設計データは、表計算ソフト上で修正可能であるので、設計データを表計算ソフト上で自由に修正又は確認ができる。
【００２２】
さらに、３次元ＣＡＤと表計算ソフトとを連携する連携ソフトが、規模データから生成された設計データをＢＩＭデータに変換するので、二次元図面を作成することなく、容易にＢＩＭデータを作成することができる。
また、ＢＩＭを用いた建物設計用の３次元ＣＡＤにより、見る角度や質感を含めた建物デザインの確認ができる。
【００２３】
従って、本発明によれば、表計算ソフトのみを用いて建物形状を設定するのみで、自動的に企画設計図が３次元で生成されるため、企画設計図の作成時間を大幅に短縮できる。また、本発明によれば、質感も含めてあらゆる角度から建物のデザインを確認できる。
【図面の簡単な説明】
【００２４】
【図１】本発明による建物企画設計システムの全体構成図である。
【図２】建物形状を決定する第１ステップＳ１の全体フロー図である。
【図３】本発明の建物企画設計システムにより、出力用の画面に表示される表形式のスプレッドシートの模式図である。
【図４】キープランの一例を示す図である。
【図５】積み木データの一例を示す図である。
【図６】建物設計に必要なデータを生成する第２ステップＳ２の全体フロー図である。
【図７】３次元ＣＡＤにより画面上に表示された建物の斜視図を示している。
【発明を実施するための形態】
【００２５】
以下、本発明の好ましい実施形態を図面を参照して説明する。なお、各図において共通する部分には同一の符号を付し、重複した説明を省略する。
【００２６】
図１は、本発明による建物企画設計システムの全体構成図である。
この図に示すように、本発明の建物企画設計システムは、コンピュータ１０を備える。
コンピュータ１０は、外部とのデータのやり取りを行う入出力装置１２、データを記録する記憶装置１４、プログラムの実行状況を制御する制御装置１６、及びデータの計算や加工を行う演算装置１８から構成される。
入出力装置１２は、例えば入力用のキーボードとマウス、及び出力用の画面（例えば液晶画面）とプリンタからなる。
記憶装置１４は、一時的な記憶に用いる主記憶装置と、永続的な記録に用いる外部記憶装置（補助記憶装置）とからなる。
【００２７】
本発明のコンピュータ１０は、記憶装置１４に、ＢＩＭを用いた建物設計用の３次元ＣＡＤ２０と、汎用の表計算ソフト２２と、３次元ＣＡＤ２０と表計算ソフト２２とを連携する連携ソフト２４とがインストールされている。
【００２８】
ＢＩＭを用いた建物設計用の３次元ＣＡＤ２０は、例えば上述したＲｅｖｉｔ（登録商標）である。なお３次元ＣＡＤ２０は、この例に限定されず、ＢＩＭデータＤ３に、建物形状、空間関係、建物部材の数量や特性、建物要素のプロパティ（例えばメーカー情報など）が含まれ、ＢＩＭデータＤ３を用いて、数量および共有された材質情報を抽出できる限りで、その他の建物設計用の３次元ＣＡＤであってもよい。
【００２９】
汎用の表計算ソフト２２は、例えば米国のマイクロソフト（登録商標）社が開発した、Ｅｘｃｅｌ（登録商標）である。なお表計算ソフト２２は、この例に限定されず、データ及び記号を表形式で表示でき、かつデータの演算が可能な限りで、その他の表計算ソフトであってもよい。
表計算ソフト２２は、設計データＤ２のデフォルト値を表形式で記憶するデータベースシート２３を有する。
【００３０】
連携ソフト２４は、表計算ソフト２２の規模データＤ１から生成された設計データＤ２をＢＩＭデータＤ３に変換する。連携ソフト２４は、この変換機能を有する限りで、表計算ソフト２２のマクロであっても、独立したプログラムソフトであってもよい。
【００３１】
本発明の建物企画設計システムは、３次元ＣＡＤ２０で建物の設計図を作成するために必要な設計データＤ２を、表計算ソフト２２を用いて作成し、ＢＩＭデータＤ３に変換して自動設計するものである。
なお、本発明において、建物は、例えばマンション等の集合住宅であり、ＳＲＣ造又はＲＣ造の主としてラーメン構造の建物を意味する。
【００３２】
本発明の建物企画設計方法は、上述したコンピュータ１０を準備し、建物形状を決定する第１ステップＳ１と、建物設計に必要なデータを生成する第２ステップＳ２とを実行することにより、３次元ＣＡＤ２０で建物の設計図を作成するために必要なＢＩＭデータＤ３を生成する。
【００３３】
図２は、建物形状を決定する第１ステップＳ１の全体フロー図である。この図に示すように、第１ステップＳ１は、Ｓ１１〜Ｓ１３の各ステップからなる。
【００３４】
ステップＳ１１は、架構形状の設定ステップであり、ステップＳ１２は、スパン寸法の設定ステップであり、ステップＳ１３は、与条件の設定ステップである。
【００３５】
図３は、本発明の建物企画設計システムにより、出力用の画面に表示される表形式のスプレッドシートの模式図である。
この図に示すように、本発明の表計算ソフト２２は、建物形状を決定するための規模設定シート２２ａと、設計データＤ２を修正するためのデータ修正シート２２ｂと、設計データＤ２を確認するためのデータ確認シート２２ｃとを有する。これらの各シートは、同時に表示しても、別々に表示してもよい。
【００３６】
本発明の建物企画設計システムは、ステップＳ１１において、出力用の画面に規模設定シート２２ａを表示又はアクティブ（入力可能な状態）にする。
【００３７】
規模設定シート２２ａは、建物のＸ方向スパン数、Ｙ方向スパン数、及び階数を含む規模データＤ１を入力する入力領域ａ，ｂ，ｃ（格子状のセル）を有する。
この例において、Ｘ方向とは、マンションを構成する複数の住戸タイプ（例えばＡ，Ｂ，Ｃ）が隣接する方向、すなわち共用廊下の延びる方向を意味する。また、Ｙ方向とは、平面図においてＸ方向に直交する奥行方向を意味する。
入力領域ａ，ｂ，ｃ（格子状のセル）には、設計者が想定する建物形状に相当する適切な数値を、リストからの選択、又はキーボードを用いて入力する。規模設定シート２２ａは、表形式のスプレッドシートであるので、これらの数値は、表計算ソフト上で自由に修正可能である。
この例では、Ｘ方向スパン数に２、Ｙ方向スパン数に３、階数に４と入力されている。
また、この例では、規模設定シート２２ａは、さらに１ＦＬ高さ（階高）を入力する入力領域ｄ（格子状のセル）を有する。なお、１ＦＬ高さを入力する入力領域ｄは必須ではなく、これを省略することができる。
【００３８】
図３（Ａ）において、規模設定シート２２ａは、さらに、「第１展開」と表示された展開用のセルｅを有する。設計者は、建物のＸ方向スパン数、Ｙ方向スパン数、及び階数を含む規模データＤ１をデフォルト値が表示されたリストから選択、又はキーボードを用いて入力したのち、マウスを用いて、展開用のセルｅをクリックする。
このクリックにより、ステップＳ１２が実行され、図３（Ｂ）に示すデータ修正シート２２ｂが表示又はアクティブになる。
【００３９】
図３（Ｂ）のデータ修正シート２２ｂは、「キープラン」「積み木図」「キャンティ設定」「通り芯毎部品」「出部屋設定」「デフォルトデータ」と表示されたセルと、「第２展開」と表示された展開用のセルを有する。
図３（Ｂ）のデータ修正シート２２ｂにおいて、設計者が、「キープラン」又は「積み木図」のセルを、マウスを用いてクリックすると、表計算ソフト２２は、規模データＤ１を基に、キープラン２と積み木データ３を表形式で表示する。
【００４０】
キープラン２は、各階に共通する柱位置と壁位置を示す図である。また、積み木データ３は、建物の階層ごとの居室の配列を示す図である。
【００４１】
図４は、キープラン２の一例を示す図である。この図において、（Ａ）は修正前のキープラン２、（Ｂ）は修正後のキープラン２、（Ｃ）は（Ｂ）に相当する平面架構のイメージ図である。
【００４２】
図４（Ａ）において、符号「●」は柱、符号「｜」と符号「−」は梁、空欄は柱と梁のない空間を示している。また図中の各数字は、柱間の距離（スパン）を意味する。なお、各符号と数値は、表形式のスプレッドシートのセルにそれぞれ独立して表示される。
図４（Ａ）から、設計者は想定する建物形状のキープラン２が正しく表示されているかを確認することができる。また、キープラン２は表形式のスプレッドシートに示されているので、これらの符号及び数値は、表計算ソフト上で自由に修正可能である。
【００４３】
図４（Ｂ）は、図４（Ａ）を一部修正したキープラン２を示している。図４（Ｂ）から、設計者は想定する建物形状のキープラン２（図４（Ｃ）に相当する平面架構）が正しく表示されているかを確認することができる。
【００４４】
図５は、積み木データ３の一例を示す図である。この図において、（Ａ）は修正前の積み木データ３、（Ｂ）は修正後の積み木データ３、（Ｃ）は（Ｂ）に相当する立面架構のイメージ図である。
【００４５】
図５（Ａ）において、符号「｜」は柱、符号「−」は梁、符号「＋」は柱と梁の交差部、空欄は柱と梁のない居室空間を示している。なお、各符号は、表形式のスプレッドシートのセルにそれぞれ独立して表示される。
図５（Ａ）から、設計者は想定する建物形状の積み木データ３が正しく表示されているかを確認することができる。また、積み木データ３は表形式のスプレッドシートに示されているので、これらの符号は、表計算ソフト上で自由に修正可能である。
【００４６】
図５（Ｂ）は、図５（Ａ）を一部修正した積み木データ３を示している。図５（Ｂ）から、設計者は想定する建物形状の積み木データ３（図５（Ｃ）に相当する立面架構）が正しく表示されているかを確認することができる。
【００４７】
図３（Ｂ）のデータ修正シート２２ｂにおいて、設計者が、「キャンティ設定」、「通り芯毎部品」、「出部屋設定」、又は「デフォルトデータ」のセルを、マウスを用いてクリックすると、表計算ソフト２２は、キャンティ設定、通り芯毎部品、出部屋設定、又はデフォルトデータのデフォルト値を表形式で表示する。
例えば、「出部屋設定」をクリックすると、出部屋をその居室のどこに設けるかの予め設定された複数のパターンが表示され、１つのパターンを選択し、かつ出部屋の寸法を入力できる。
すなわち、ステップＳ１３では、設計者が、これらのセルを、マウスを用いてクリックすると、表計算ソフト２２は、データ修正シート２２ｂ上に、データベースシート２３を参照して、それぞれの寸法と位置のデフォルト値を表形式で表示する。
設計者は想定する建物形状を基に、これらのデフォルト値を表計算ソフト上で自由に修正可能である。
【００４８】
上述した建物形状を決定する第１ステップＳ１により、設計者は、表計算ソフト２２の規模設定シート２２ａにおいて、建物のＸ方向スパン数、Ｙ方向スパン数、及び階数を含む規模データＤ１を入力することができる。また、表計算ソフト２２は、規模データＤ１を基に、各階に共通する柱位置と壁位置を示すキープラン２と、建物の階層ごとの居室の配列を示す積み木データ３とを表形式で表示する。
従って、設計者は、二次元図面を作成することなく、表計算ソフト２２のみを用いて、規模データＤ１、キープラン２、及び積み木データ３を作成することができる。
【００４９】
図３（Ｂ）において、ステップＳ１３が完了し、設計者が「第２展開」と表示された展開用のセルをクリックすると、図３（Ｃ）に示すデータ確認シート２２ｃが表示又はアクティブになる。
【００５０】
データ確認シート２２ｃは、「柱データ」「梁データ」「壁データ」「内スラブデータ」「部屋データ」「建具データ」「拡張柱データ」「拡張壁データ」「一般データ」と表示されたセルと、「第３展開」と表示された展開用のセルを有する。
データ確認シート２２ｃは、設計データＤ２のうち、これらのデフォルト値を表形式で表示する。表示されたデフォルト値は表計算ソフト上で修正可能である。
【００５１】
また設計データＤ２のうち、スラブ、耐震壁、又は雑壁の厚さのデフォルト値は、規模設定シート２２ａに基づくスパン寸法に基づき、予め設定された計算式により算出される。
また、設計データＤ２のうち、バルコニー、共用廊下、玄関、又は窓の配置のデフォルト値は、規模設定シート２２ａに基づくスパン寸法に基づき、予め設定されたロジックにより設定される。
例えば、バルコニーは、その断面寸法は予め決められており、スパン寸法に基づきその長さが設定される。また、建物の端部でのバルコニーをどのような形状に収めるかも予め設定されている。
【００５２】
図６は、建物設計に必要なデータを生成する第２ステップＳ２の全体フロー図である。この図に示すように、第２ステップＳ２は、Ｔ１〜Ｔ１１の各ステップからなる。
【００５３】
この図において、ステップＴ１〜Ｔ１１は、それぞれ「柱、梁の位置、寸法」、「スラブ位置、種別」、「壁の位置、種別」、「バルコニーの位置、形状」、「バルコニー手摺の形状、種別」「共用廊下の位置、形状」「玄関、腰窓の位置、種別」「廊下手摺の位置、種別」「屋上パラペットの位置、種別」「共用階段の位置、種別」「外装の仕上げ、種別」のデータ生成ステップである。
第２ステップＳ２において、データ確認シート２２ｃのこれらのセルをクリックすることにより、それぞれのデフォルト値が表形式で表示される。
また表示されたデフォルト値は表計算ソフト上で修正可能である。
例えば、屋上パラペットは、図５（Ｂ）の積み木データ３から屋上の位置、形状を認識し、予め設定された断面寸法に基づき、屋上パラペットの全体をどのような形状するかが算出される。この場合、住戸部分のみでなく、廊下やバルコニーの上も屋上と認識する。
【００５４】
図３（Ｃ）において、ステップＴ１〜Ｔ１１が完了し、設計者が「第３展開」と表示された展開用のセルをクリックすると、連携ソフト２４により、規模データＤ１から生成された設計データＤ２がＢＩＭデータＤ３に変換される。
図７は、３次元ＣＡＤ２０により画面上に表示された建物の斜視図を示している。
連携ソフト２４によりＢＩＭデータＤ３が生成された後は、３次元ＣＡＤ２０により、平面図、立面図、断面図、斜視図、等を自由に画面上に表示することができる。
また、設計データＤ２が全てＢＩＭデータＤ３に変換されているので、３次元ＣＡＤ２０により、部材の集計や見積を簡単に行うことができる。
【００５５】
上述したように、本発明の第１ステップＳ１では、ステップＳ１１（架構形状の設定ステップ）において、建物の架構概要データを入力する。次いで、ステップＳ１２（スパン寸法の設定ステップ）とステップＳ１３（与条件の設定ステップ）では、建物の架構データの調整を行なう。
【００５６】
すなわち、ステップＳ１２では、各スパン寸法の入力、不要な柱、梁の設定削除、断面架構の調整、及びセットバック部の架構削除を行う。
また、ステップＳ１３では、その他の調整、例えば、出部屋の設定、柱の設定、壁の設定を行う。
なお、住戸ユニット、建具、手摺、マリオン（窓と窓等を仕切る縦枠材）などデフォルト設定されたものの変更が必要な場合には修正する。すなわち、基本的には持ち込み基本仕様に合わせてデフォルト設定されているため、建物の架構形状を設定すれば自動設計ができてしまう。
【００５７】
本発明の第２ステップＳ２では、設計データＤ２を生成する。このステップは、基本的には全自動である。
【００５８】
（１）柱、梁の寸法・位置データの生成
第１ステップＳ１により、柱の水平方向の位置情報は定義されているため、表データで設定されている標準階高によってＸ，Ｙ，Ｚ方向の位置情報を確定でき、柱の高さ情報も得られる。
その上で、各階に配置される柱断面の情報を表データから設定され、通り芯に対する配置情報も設定されるため、３次元での柱配置情報が生成される。
梁についても、第１ステップＳ１により、梁の水平方向ならびに垂直方向の位置情報は定義されているため、表データで設定されている標準階高によってＸ，Ｙ，Ｚ方向の位置情報を確定でき、梁断面の情報ならびに通り芯に対する配置情報も設定されているため、３次元での梁配置情報が生成される。
【００５９】
（２）その他の寸法データ、位置データの生成
第１ステップＳ１ならびに標準階高のデータ取得により、スラブ（スラブはスパン寸法により厚さが規定されている）、耐震壁、雑壁も同様に三次元での位置情報を生成できる。
バルコニー、共用廊下、玄関、窓の配置については、スパン長さに合わせて配置条件がデフォルト設定されているため、自動的に３次元データが生成される。
【００６０】
上記本発明の装置と方法によれば、表計算ソフト２２の規模設定シート２２ａにおいて、建物のＸ方向スパン数、Ｙ方向スパン数、及び階数を含む規模データＤ１を入力する。また、表計算ソフト２２は、規模データＤ１を基に、各階に共通する柱位置と壁位置を示すキープラン２と、建物の階層ごとの居室の配列を示す積み木データ３とを表形式で表示する。
従って、二次元図面を作成することなく、表計算ソフト２２のみを用いて、規模データＤ１、キープラン２、及び積み木データ３を作成することができる。
【００６１】
また、表計算ソフト２２は、設計データＤ２のデフォルト値を表形式で記憶するデータベースシート２３を有しており、キープラン２、積み木データ３及び設計データＤ２は、表計算ソフト上で修正可能であるので、設計データＤ２を表計算ソフト上で自由に修正又は確認ができる。
【００６２】
さらに、３次元ＣＡＤ２０と表計算ソフト２２とを連携する連携ソフト２４が、規模データＤ１から生成された設計データＤ２をＢＩＭデータＤ３に変換するので、二次元図面を作成することなく、容易にＢＩＭデータを作成することができる。
また、ＢＩＭを用いた建物設計用の３次元ＣＡＤ２０により、見る角度や質感を含めた建物デザインの確認ができる。
【００６３】
従って、本発明によれば、表計算ソフト２２のみを用いて建物形状を設定するのみで、自動的に企画設計図が３次元で生成されるため、企画設計図の作成時間が大幅に短縮できる。また、本発明によれば、質感も含めてあらゆる角度から建物のデザインを確認できる。
【００６４】
なお、本発明は上述した実施形態に限定されず、本発明の要旨を逸脱しない限りで種々に変更できることは勿論である。
【符号の説明】
【００６５】
Ｄ１  規模データ、Ｄ２  設計データ、Ｄ３  ＢＩＭデータ、
２  キープラン、３  積み木データ、１０  コンピュータ、
１２  入出力装置、１４  記憶装置、１６  制御装置、１８  演算装置、
２０  ３次元ＣＡＤ、２２  表計算ソフト、２２ａ  規模設定シート、
２２ｂ  データ修正シート、２２ｃ  データ確認シート、
２３  データベースシート、２４  連携ソフト
【図１】
0006429380.tif 000002
【図２】
0006429380.tif 000003
【図３】
0006429380.tif 000004
【図４】
0006429380.tif 000005
【図５】
0006429380.tif 000006
【図６】
0006429380.tif 000007
【図７】
0006429380.tif 000008